(57)【特許請求の範囲】
【請求項１】
所定の形式で伝送される調光データを入力する入力部と；
前記入力部に入力された前記調光データを記録する記録部と；
前記記録部に記録された調光データの再生速度の変更を指示する再生速度変更指示部と；
前記再生速度変更指示部で指示された再生速度に基づいて、前記調光データの再生速度を変更する再生速度変更部と；
前記再生速度が変更された調光データを前記所定の形式で出力する出力部と；
を有し、
前記再生速度変更部は、前記再生速度変更指示部により前記再生速度を遅くするスロー再生が指示された場合、前記調光データの連続する２つのパケットデータの調光レベルが所定のレベル以上変化するか否かを判定し、前記所定のレベル以上変化したと判定すると、前記連続する２つのパケットデータのうち、先のパケットデータと同等の調光レベルのパケットデータを前記連続する２つのパケットデータの間に追加し、前記所定のレベル以上変化しないと判定すると、前記連続する２つのパケットデータの調光レベルの中間の調光レベルのパケットデータを前記連続する２つのパケットデータの間に追加することを特徴する調光データ記録再生装置。
【請求項２】
前記再生速度変更部は、前記再生速度変更指示部により前記再生速度を速くする早送り再生が指示された場合、前記早送り再生の速度に応じて、前記調光データのパケットデータを間引くことを特徴とする請求項１に記載の調光データ記録再生装置。
【請求項３】
複数の照明負荷と；
前記複数の照明負荷を所望の明るさの調光状態にするための調光データを所定の形式で伝送する調光操作卓と；
前記所定の形式で伝送される前記調光データを入力する入力部と、前記入力部に入力された前記調光データを記録する記録部と、前記記録部に記録された調光データの再生速度の変更を指示する再生速度変更指示部と、前記再生速度変更指示部で指示された再生速度に基づいて、前記調光データの再生速度を変更する再生速度変更部と、前記再生速度が変更された調光データを前記所定の形式で出力する出力部とを有する調光データ記録再生装置と；
前記調光データ記録再生装置から出力された前記再生速度が変更された調光データに基づいて、前記複数の照明負荷に供給する調光信号を生成し、前記複数の照明負荷に出力する調光制御盤と；
を有し、
前記再生速度変更部は、前記再生速度変更指示部により前記再生速度を遅くするスロー再生が指示された場合、前記調光データの連続する２つのパケットデータの調光レベルが所定のレベル以上変化するか否かを判定し、前記所定のレベル以上変化したと判定すると、前記連続する２つのパケットデータのうち、先のパケットデータと同等の調光レベルのパケットデータを前記連続する２つのパケットデータの間に追加し、前記所定のレベル以上変化しないと判定すると、前記連続する２つのパケットデータの調光レベルの中間の調光レベルのパケットデータを前記連続する２つのパケットデータの間に追加することを特徴とする照明制御システム。
【発明の詳細な説明】
【技術分野】
【０００１】
本発明の実施形態は、ホールや劇場等の照明に用いる調光データを記録及び再生を行う調光データ記録再生装置及び照明制御システムに関する。
【背景技術】
【０００２】
従来、ホールまたは劇場等の屋内施設、あるいは景観照明等の屋外施設には、照明制御システムが設置されている。この種の照明制御システムは、屋内施設に配置した複数の照明負荷と、これら複数の照明負荷のうち、調光すべき照明負荷を所望の明るさの調光状態に操作するための調光操作卓と、この調光操作卓の操作に基づき、対応する照明負荷の調光を制御する調光制御盤とを有して構成される。
【０００３】
調光操作卓の操作内容に基づく調光データの伝送は、例えば、ＤＭＸ５１２（１９９０）（米国劇場技術協会（ＵＳＩＴＴ）規格）の規格に沿った形式で行われる。即ち、専門家が調光操作卓を操作することで得られる複雑な照明演出用の調光データは、時間単位でＤＭＸ５１２（１９９０）の通信プロトコルに従って、ＤＭＸ信号として調光制御盤に伝送される。
【０００４】
また、近年では、シーン再生を行うために、調光操作卓から調光制御盤に伝送されるＤＭＸ信号の記録及び再生を行うための記録再生装置が採用されている。この記録再生装置は、調光操作卓と調光制御盤との間に設けられ、調光操作卓から伝送されるＤＭＸ信号を記録する。そして、記録再生装置は、シーン再生を行う場合、記録したＤＭＸ信号を調光制御盤に伝送することで、専門家でなくとも高度な照明演出を再現することができる。
【先行技術文献】
【非特許文献】
【０００５】
【非特許文献１】URL：http://mana-pro.com/so1308.html
【発明の概要】
【発明が解決しようとする課題】
【０００６】
しかしながら、従来の記録再生装置は、伝送されていた調光データを記録及び再生することしかできず、演出のタイミングの変更、即ち、調光データの編集ができない。つまり、従来の記録再生装置で記録された調光データは、演出等の変更があった際に再利用することができない。このように、従来の記録再生装置は、記録した調光データの再利用が難しいという問題があった。
【０００７】
本発明の実施形態は上述した事情に鑑みてなされたもので、記録した調光データの再利用を容易にすることができる調光データ記録再生装置を提供することを目的とする。
【課題を解決するための手段】
【０００８】
本発明の実施形態に係る調光データ記録再生装置は、所定の形式で伝送される調光データを入力する入力部と；前記入力部に入力された前記調光データを記録する記録部と；前記記録部に記録された調光データの再生速度の変更を指示する再生速度変更指示部と；前記再生速度変更指示部で指示された再生速度に基づいて、前記調光データの再生速度を変更する再生速度変更部と；前記再生速度が変更された調光データを前記所定の形式で出力する出力部と；を有し、前記再生速度変更部は、前記再生速度変更指示部により前記再生速度を遅くするスロー再生が指示された場合、前記調光データの連続する２つのパケットデータの調光レベルが所定のレベル以上変化するか否かを判定し、前記所定のレベル以上変化したと判定すると、前記連続する２つのパケットデータのうち、先のパケットデータと同等の調光レベルのパケットデータを前記連続する２つのパケットデータの間に追加し、前記所定のレベル以上変化しないと判定すると、前記連続する２つのパケットデータの調光レベルの中間の調光レベルのパケットデータを前記連続する２つのパケットデータの間に追加することを特徴する。
【発明の効果】
【０００９】
本発明の実施形態によれば、記録した調光データの再利用を容易にすることができる。
【図面の簡単な説明】
【００１０】
【図１】本実施の形態に係る調光データ記録再生装置を有する照明制御システムの構成を示す図である。
【図２】記録した調光データを再生する際の照明制御システムの構成を示す図である。
【図３】調光データ記録再生装置の内部構成を説明するための図である。
【図４】操作入力部のフェーダ操作部について説明するための図である。
【図５】調光データの再生処理の流れの例を示すフローチャートである。
【図６】ステップＳ６の再生速度変更処理の流れの例を示すフローチャートである。
【発明を実施するための形態】
【００１１】
本発明に係る実施形態の調光データ記録再生装置は、所定の形式で伝送される調光データを入力する入力部と；前記入力部に入力された前記調光データを記録する記録部と；前記記録部に記録された調光データの再生速度の変更を指示する再生速度変更指示部と；前記再生速度変更指示部で指示された再生速度に基づいて、前記調光データの再生速度を変更する再生速度変更部と；前記再生速度が変更された調光データを前記所定の形式で出力する出力部と；を有することを特徴する。
【００１２】
このような構成によれば、記録した調光データの再利用を容易にすることができる。
【００１３】
本発明に係る実施形態の調光データ記録再生装置は、前記再生速度変更部を、前記再生速度変更指示部により前記再生速度を遅くするスロー再生が指示された場合、前記調光データの連続する２つのパケットデータの調光レベルが所定のレベル以上変化するか否かを判定し、前記所定のレベル以上変化したと判定すると、前記連続する２つのパケットデータのうち、先のパケットデータと同等の調光レベルのパケットデータを前記連続する２つのパケットデータの間に追加し、前記所定のレベル以上変化しないと判定すると、前記連続する２つのパケットデータの調光レベルの中間の調光レベルのパケットデータを前記連続する２つのパケットデータの間に追加するように構成することができる。
【００１４】
このような構成によれば、フェードインあるいはフェードアウト等の演出を記録された元の調光データに近い、自然な照明演出にすることが可能となる。
【００１５】
また、本実施形態において、パケットデータは、例えば、ＤＭＸ信号の１周期分のデータであり、５１２バイトのデータにより構成、具体的には、それぞれが８ビットのデータを有する５１２個のチャンネルにより構成される。
【００１６】
本発明に係る実施形態の調光データ記録再生装置は、前記再生速度変更部を、前記再生速度変更指示部により前記再生速度を速くする早送り再生が指示された場合、前記早送り再生の速度に応じて、前記調光データのパケットデータを間引くように構成することができる。
【００１７】
このような構成によれば、フェードインあるいはフェードアウト等の演出を記録された元の調光データに近い、自然な照明演出にすることが可能となる。
【００１８】
本発明に係る実施形態の照明制御システムは、複数の照明負荷と；前記複数の照明負荷を所望の明るさの調光状態にするための調光データを所定の形式で伝送する調光操作卓と；前記所定の形式で伝送される前記調光データを入力する入力部と、前記入力部に入力された前記調光データを記録する記録部と、前記記録部に記録された調光データの再生速度の変更を指示する再生速度変更指示部と、前記再生速度変更指示部で指示された再生速度に基づいて、前記調光データの再生速度を変更する再生速度変更部と、前記再生速度が変更された調光データを前記所定の形式で出力する出力部とを有する調光データ記録再生装置と；前記調光データ記録再生装置から出力された前記再生速度が変更された調光データに基づいて、前記複数の照明負荷に供給する調光信号を生成し、前記複数の照明負荷に出力する調光制御盤と；を有することを特徴とする。
【００１９】
このような構成によれば、記録した調光データの再利用を容易にすることができる。
【００２０】
以下、図面を参照して本発明の実施の形態について詳細に説明する。
【００２１】
まず、図１及び図２に基づき、本発明の実施の形態に係る調光データ記録再生装置を有する照明制御システムの構成について説明する。
【００２２】
図１は、本実施の形態に係る調光データ記録再生装置を有する照明制御システムの構成を示す図であり、図２は、記録した調光データを再生する際の照明制御システムの構成を示す図である。
【００２３】
図１に示すように、照明制御システム１は、ホールまたは劇場等の屋内施設に配置されるシステムであって、調光操作卓２と、調光データ記録再生装置３と、調光制御盤４と、複数の照明負荷５ａ〜５ｎと、ＤＭＸケーブル６ａ及び６ｂとを有して構成されている。
【００２４】
調光データ記録再生装置３は、ＤＭＸケーブル入力コネクタ（以下、単に入力コネクタという）１１と、ＤＭＸケーブル出力コネクタ（以下、単に出力コネクタという）１２と、操作入力部１３と有して構成されている。
【００２５】
調光操作卓２は、照明負荷５ａ〜５ｎを所望の明るさの調光状態に操作するための操作器であり、操作者の操作に応じた調光操作信号（以下、調光データともいう）を、ＤＭＸケーブル６ａを介して調光データ記録再生装置３に伝送する。例えば、この調光データの伝送は、ＤＭＸ５１２（１９９０）（米国劇場技術協会（ＵＳＩＴＴ）規格）の規格に沿った形式で行われる。
【００２６】
調光データ記録再生装置３は、入力コネクタ１１を介して、調光操作卓２からの調光データを受け取り、後述する記録部１５（図３参照）に記録する。また、調光データ記録再生装置３は、記録した調光データを出力コネクタ１２及びＤＭＸケーブル６ｂを介して調光制御盤４に伝送する。この調光データの伝送も、ＤＭＸ５１２の規格に沿った形式で行われる。
【００２７】
操作入力部１３は、このような調光データの記録の開始及び終了を指示するための記録ボタン、及び、記録した調光データの再生の開始及び終了を指示するための再生ボタンを有する。また、操作入力部１３は、調光データを記録する際に、チャプタ分けを指示するためのチャプタ分けボタン、及び、チャプタ分けされた調光データを再生する際に、チャプタを選択するためのチャプタ選択ボタンを有する。
【００２８】
さらに。操作入力部１３は、記録した調光データを再生する際に、調光データの変更、例えば、逆再生を行うための逆再生ボタン、早送り再生またはスロー再生を行うためのフェーダ操作部１３ａ（図４参照）等を有する。なお、これらの記録及び再生処理については、後述する図３及び図４を用いて詳細に説明する。
【００２９】
調光制御盤４は、調光データ記録再生装置３から伝送された調光データに基づき、照明負荷５ａ〜５ｎに供給する調光信号を生成する。調光制御盤４により生成される調光信号は、例えば、それぞれ調光率に応じて定められたデューティ比の異なるＰＷＭ信号として照明負荷５ａ〜５ｎに出力される。
【００３０】
照明負荷５ａ〜５ｎは、例えば、ＬＥＤ（Light Emitting Diode）照明器具またはＦＬ（Fluorescent Lamp）照明器具等であり、それぞれ、調光制御盤４からの調光信号に応じた明るさで照明する。
【００３１】
ＤＭＸケーブル６ａは、入力コネクタ１１と着脱自在に構成され、ＤＭＸケーブル６ｂは、出力コネクタ１２と着脱自在に構成されている。即ち、調光データ記録再生装置３は、調光操作卓２及び調光制御盤４と着脱自在に構成されている。
【００３２】
例えば、調光データ記録再生装置３は、記録した調光データを再生する場合、図２に示すように、ＤＭＸケーブル６ｂを介して調光制御盤４のみと接続する構成にしてもよい。また、調光データ記録再生装置３は、調光操作卓２からの調光データを記録する場合、ＤＭＸケーブル６ａを介して調光操作卓２のみと接続する構成にしてもよい。さらに、調光データ記録再生装置３は、調光データの記録及び再生を行わない場合、調光操作卓２及び調光制御盤４から切り離す構成にしてもよい。これにより、操作者は、調光データ記録再生装置３を他の屋内施設等に持ち運び、その屋内施設等で記録した調光データの再生を行うことができる。
【００３３】
ここで、調光データ記録再生装置３での調光データの記録及び再生処理について、図３及び図４を用いて説明する。  
図３は、調光データ記録再生装置の内部構成を説明するための図であり、図４は、操作入力部のフェーダ操作部について説明するための図である。
【００３４】
図３に示すように、調光データ記録再生装置３は、入力コネクタ１１、出力コネクタ１２及び操作入力部１３に加え、演算部１４と、記録部１５と有して構成されている。
【００３５】
演算部１４には、入力コネクタ１１を介して、調光操作卓２からの調光データが入力される。演算部１４は、操作入力部１３の記録ボタンが押下されると、入力コネクタ１１から入力される調光データをパケットデータ単位で連続的に記録部１５に記録する。演算部１４は、もう一度、操作入力部１３の記録ボタンが押下されると、調光データの記録を停止する。なお、記録ボタンを２度押下することにより、記録の開始と終了を切り換えているが、記録ボタンは、記録の開始を指示する記録開始ボタンと、記録の終了を指示する記録終了ボタンとに分ける構成にしてもよい。また、演算部１４は、調光データの記録中に操作入力部１３のチャプタ分けボタンが押下されると、記録している調光データにチャプタを追加して記録する。
【００３６】
演算部１４は、操作入力部１３の再生ボタンが押下されると、記録部１５に記録されている調光データから対応する調光データのパケットデータを順次読み出し、出力コネクタ１２に出力する。この調光データは、ＤＭＸケーブル６ｂを介して、調光制御盤４に伝送される。演算部１４は、もう一度、操作入力部１３の再生ボタンが押下されると、調光データの読み出し、即ち、再生を停止する。なお、再生ボタンも記録ボタンと同様に、再生の開始を指示する再生開始ボタンと、再生の終了を指示する再生終了ボタンとに分ける構成にしてもよい。また、演算部１４は、調光データの再生中に操作入力部１３のチャプタ選択ボタンが押下されると、選択されたチャプタの調光データの再生を行う。
【００３７】
演算部１４は、操作入力部１３の逆再生ボタンが押下されると、記録部１５から読み出した連続したパケットデータの順番を反転し、出力コネクタ１２に出力する。演算部１４は、例えば、読み出したパケットデータがパケットデータＡ，Ｂ，Ｃ，Ｄの順番の場合、パケットデータＤ，Ｃ，Ｂ，Ａの順番で出力コネクタ１２に出力する。これにより、例えば、照明負荷５ａ〜５ｎが、例えばインテリジェントライトであれば、このインテリジェントライトの水平方向及び垂直方向の動作を逆再生することで、明かりの軌跡を簡単に反転することができる。
【００３８】
操作入力部１３は、図４に示すような、再生スピード、即ち、再生速度の変更を指示するためのフェーダ操作部１３ａを有している。操作者は、再生速度変更指示部としてのフェーダ操作部１３ａを操作することにより、記録された調光データの再生速度を変更することができる。操作入力部１３は、フェーダ操作部１３ａの操作位置の情報を演算部１４に出力する。
【００３９】
演算部１４は、フェーダ操作部１３ａが０の位置に操作されると、通常の速度の再生を行う。また、演算部１４は、フェーダ操作部１３ａが＋方向に操作されると、操作位置に応じて再生速度を速くする早送り再生を行い、−方向に操作されると、操作位置に応じて再生速度を遅くするスロー再生を行う。このように、演算部１４は、フェーダ操作部１３ａの操作に応じて、再生する調光データの再生速度を変更する再生速度変更部を構成する。
【００４０】
本実施の形態では、演算部１４は、図４において、フェーダ操作部１３ａが最大の＋１０の位置に操作された場合、２倍の早送り再生を行い、フェーダ操作部１３ａが最小の−１０の位置に操作された場合、１／２倍のスロー再生を行う。なお、再生速度は、最大で２倍の早送り再生及び１／２倍のスロー再生としているが、これらの再生速度に限定されるものではない。
【００４１】
演算部１４は、フェーダ操作部１３ａにより再生速度の変更が指示された場合、フェーダ操作部１３ａの操作位置の情報に基づき、再生速度を算出する。そして、演算部１４は、記録部１５から読み出した調光データを算出した再生速度の調光データに変更し、出力コネクタ１２に出力する。
【００４２】
演算部１４は、フェーダ操作部１３ａにより、例えば２倍の早送り再生が指示された場合、連続するパケットデータＡ，Ｂ，Ｃ，Ｄの奇数番目のパケットデータ、ここでは、パケットデータＡ及びＣを間引く処理を行う。なお、間引くパケットデータは、偶数番目、ここでは、パケットデータＢ及びＤであってもよい。
【００４３】
また、演算部１４は、フェーダ操作部１３ａにより、例えば１／２倍のスロー再生が指示された場合、連続する２つのパケットデータの調光レベルが所定のレベル以上変化があるか否かを判定する。なお、演算部１４は、連続する２つのパケットデータの調光レベルが、例えば、６０％以上変化した場合、所定のレベル以上変化があると判定し、６０％以上変化しない（６０％未満）場合、所定のレベル以上変化がないと判定する。
【００４４】
演算部１４は、所定のレベル以上の変化がないと判定した場合、連続する２つのパケットデータの調光レベルの中間の調光レベルを検出し、検出した中間の調光レベルのパケットデータを連続する２つのパケットデータの間に追加する。例えば、連続する２つのパケットデータＡ及びＢの調光レベルが、それぞれ６０％及び７０％の場合、演算部１４は、中間の調光レベルである６５％のパケットデータを、パケットデータＡ及びＢの間に追加する。
【００４５】
また、演算部１４は、所定のレベル以上の変化があると判定した場合、連続する２つのパケットデータのうち、先のパケットデータと同等の調光レベルのパケットデータを、連続する２つのパケットデータの間に追加する。例えば、連続する２つのパケットデータＢ及びＣの調光レベルが、それぞれ７０％及び０％の場合、演算部１４は、７０％の調光レベルのパケットデータを、パケットデータＢ及びＣの間に追加する。なお、連続する２つのパケットデータのうち、先のパケットデータと同等の調光レベルのパケットデータを追加しているが、後のパケットデータと同等の調光レベルのパケットデータを追加するようにしてもよい。
【００４６】
連続する２つのパケットデータの調光レベルが、所定のレベル以上変化する場合は、明るいところから一気に暗くする等の照明演出の可能性が高いため、中間の調光レベルのパケットデータを追加せず、先のパケットデータと同等の調光レベルのパケットデータを追加するようになっている。また、連続する２つのパケットデータの調光レベルが、所定のレベル以上変化しない場合は、徐々に明るさを変更する等の照明演出の可能性が高いため、照明演出を滑らかにするように、中間の調光レベルのパケットデータを追加するようになっている。
【００４７】
このように、調光データ記録再生装置３は、調光データの通常再生だけでなく、逆再生ボタン、及び、フェーダ操作部１３ａの操作により、それぞれ、逆再生、及び、早送りまたはスロー再生を行うことができる。なお、調光データ記録再生装置３は、操作入力部１３の逆再生ボタンと、フェーダ操作部１３ａとを組み合わせて操作することにより、逆早送り再生または逆スロー再生を行うようにしてもよい。
【００４８】
次に、このように構成された調光データ記録再生装置３の動作について説明する。
【００４９】
図５は、調光データの再生処理の流れの例を示すフローチャートである。なお、図５の処理は、演算部１４によって実行されるものである。
【００５０】
まず、再生指示があったか否かが判定される（ステップＳ１）。再生指示がないと判定された場合、ＮＯとなり、ステップＳ１に戻り、同様の処理を繰り返す。一方、再生指示があると判定された場合、ＹＥＳとなり、対応する調光データが読み出される（ステップＳ２）。次に、逆再生か否かが判定される（ステップＳ３）。逆再生であると判定された場合、ＹＥＳとなり、読み出された調光データのパケットデータが並び替えられ（ステップＳ４）、ステップＳ５に進む、一方、逆再生でないと判定された場合、ＮＯとなり、ステップＳ５に進む。
【００５１】
次に、再生速度が変更されたか否かが判定される（ステップＳ５）。再生速度が変更されたと判定された場合、ＹＥＳとなり、再生速度変更処理が実行され（ステップＳ６）、ステップＳ７に進む。なお、ステップＳ６の再生速度変更処理については、図６を用いて詳細に説明する。一方、再生速度が変更されていない場合、ＮＯとなり、ステップＳ７に進む。最後に、調光制御盤４に調光データが出力され（ステップＳ７）、処理を終了する。
【００５２】
図６は、ステップＳ６の再生速度変更処理の流れの例を示すフローチャートである。
【００５３】
まず、ステップＳ６の再生速度変更処理では、早送り再生か否かが判定される（ステップＳ１１）。早送り再生と判定された場合、ＹＥＳとなり、フェーダ操作部１３ａの操作位置から早送り再生の再生速度が検出される（ステップＳ１２）。そして、検出された再生速度に応じた早送り再生処理が実行され（ステップＳ１３）、処理を終了する。この早送り再生処理は、上述したように、再生速度に応じてパケットデータを間引く処理を行う。
【００５４】
一方、ステップＳ１１において、早送り再生でないと判定された場合（ステップＳ１１：ＮＯ）、スロー再生と判定され、フェーダ操作部１３ａの操作位置からスロー再生の再生速度が検出される（ステップＳ１４）。次に、連続する２つのパケットデータの調光レベルが所定のレベル以上変化したか否かが判定される（ステップＳ１５）。所定のレベル以上変化したと判定された場合、ＹＥＳとなり、先のパケットデータと同等の調光レベルのパケットデータが、連続する２つのパケットデータの間に追加され（ステップＳ１６）、処理を終了する。一方、所定のレベル以上変化しないと判定された場合、ＮＯとなり、中間の調光レベルのパケットデータが、連続する２つのパケットデータの間に追加され（ステップＳ１７）、処理を終了する。この再生速度変更処理が終了すると、ステップＳ７において、調光制御盤４に調光データが出力される。
【００５５】
以上のように、調光データ記録再生装置３は、操作入力部１３に設けられた逆再生ボタンの操作により、記録された調光データを逆再生するようにした。また、調光データ記録再生装置３は、操作入力部１３に設けられたフェーダ操作部１３ａの操作により、記録された調光データの再生速度を変更できるようにした。この結果、演出等が変更された際にも、記録された調光データを変更された演出等に応じて変更することができる。
【００５６】
よって、本実施の形態の調光データ記録再生装置３によれば、記録した調光データの再利用を容易にすることができる。
【００５７】
また、調光データ記録再生装置３は、スロー再生を行う場合、連続する２つのパケットデータの調光レベルが所定のレベル以上変化があるか否かにより、処理を変更するようにした。さらに、調光データ記録再生装置３は、早送り再生を行う場合、早送り再生の速度に応じて、調光データのパケットデータを間引くようにした。
【００５８】
これにより、調光データ記録再生装置３は、スロー再生及び早送り再生時に、フェードインあるいはフェードアウト等の演出を記録された元の調光データに近い、自然な照明演出にすることができる。
【００５９】
なお、本明細書における各フローチャート中の各ステップは、その性質に反しない限り、実行順序を変更し、複数同時に実行し、あるいは実行毎に異なった順序で実行してもよい。
【００６０】
本発明は、上述した実施の形態に限定されるものではなく、本発明の要旨を変えない範囲において、種々の変更、改変等が可能である。
【符号の説明】
【００６１】
１…照明制御システム、２…調光操作卓、３…調光データ記録再生装置、４…調光制御盤、５ａ〜５ｎ…照明負荷、６ａ，６ｂ…ＤＭＸケーブル、１１…入力コネクタ、１２…出力コネクタ、１３…操作入力部、１３ａ…フェーダ操作部、１４…演算部、１５…記録部。
【図１】
0005678674.tif 000002
【図２】
0005678674.tif 000003
【図３】
0005678674.tif 000004
【図４】
0005678674.tif 000005
【図５】
0005678674.tif 000006
【図６】
0005678674.tif 000007